(57)【要約】【課題】使用環境に対応して、適切な冷却能力でアフタークーリングを実施する。【解決手段】光源ランプ18と、装置外部から入力される画像信号と光源ランプ18からの光により光像を形成して投影する投影系(11〜17，19〜22)と、光源ランプ18を冷却する、冷却能力を可変可能な冷却ファン24及びモータ25と、装置の電源切断を指示するキースイッチ部32と、その指示時に冷却ファン24及びモータ25での冷却能力を選択し、選択した冷却能力で冷却ファン24及びモータ25により光源ランプ18を所定の状態となるまで冷却させるＣＰＵ29、プログラムメモリ30及びメインメモリ31とを備える。【選択図】      図１
2009003097.tif 000002
【特許請求の範囲】
【請求項１】
ランプを用いた光源と、
装置外部から入力される画像信号と上記光源からの光により光像を形成して投影する投影手段と、
上記光源のランプを冷却する、冷却能力を可変可能な冷却手段と、
上記ランプの点灯終了を指示する指示手段と、
上記指示手段での指示時に上記冷却手段の冷却能力を選択する選択手段と、
上記選択手段で選択した冷却能力で上記冷却手段により上記光源のランプを冷却させる冷却制御手段と
を具備したことを特徴とする投影装置。
【請求項２】
上記指示手段は、ランプの点灯終了を指示する複数の操作部材を備え、
上記選択手段は、上記複数の操作部材のいずれが操作されたかにより上記冷却手段の冷却能力を選択する
ことを特徴とする請求項１記載の投影装置。
【請求項３】
上記冷却手段の冷却能力を事前に設定しておく設定手段をさらに具備し、
上記選択手段は、上記指示手段での指示時に上記設定手段での設定内容に応じて上記冷却手段の冷却能力を選択する
ことを特徴とする請求項１記載の投影装置。
【請求項４】
装置外部から入力される信号の有無を判断する判断手段をさらに具備し、
上記選択手段は、上記指示手段での指示時に上記判断手段での判断結果に応じて上記冷却手段の冷却能力を選択する
ことを特徴とする請求項１記載の投影装置。
【請求項５】
上記装置外部から信号を入力する接続部での接続状態を検出する検出手段をさらに具備し、
上記選択手段は、上記指示手段での指示時に上記検出手段での検出結果に応じて上記冷却手段の冷却能力を選択する
ことを特徴とする請求項１記載の投影装置。
【請求項６】
ランプを用いた光源と、装置外部から入力される画像信号と上記光源からの光により光像を形成して投影部と、上記光源のランプを冷却する、冷却能力を可変可能な冷却部とを備えた投影装置の運転制御方法であって、
装置の上記ランプの点灯終了を指示する指示工程と、
上記指示工程での指示時に上記部の冷却能力を選択する選択工程と、
上記選択工程で選択した冷却能力で上記冷却部により上記光源のランプを冷却させる冷却制御工程と
を有したことを特徴とする投影装置の運転制御方法。
【請求項７】
ランプを用いた光源と、装置外部から入力される画像信号と上記光源からの光により光像を形成して投影部と、上記光源のランプを冷却する、冷却能力を可変可能な冷却部とを備えた投影装置に内蔵されたコンピュータが実行するプログラムであって、
装置の上記ランプの点灯終了を指示する指示ステップと、
上記指示ステップでの指示時に上記部の冷却能力を選択する選択ステップと、
上記選択ステップで選択した冷却能力で上記冷却部により上記光源のランプを冷却させる冷却制御ステップと
をコンピュータに実行させることを特徴とするプログラム。
【発明の詳細な説明】
【技術分野】
【０００１】
本発明は、特に高圧水銀灯などの光源ランプを使用するプロジェクタ装置等に好適な投影装置、投影装置の運転制御方法及びプログラムに関する。
【背景技術】
【０００２】
投影終了時に、光源となるランプの温度を予め設定された所定の温度となるまで低下させるべくアフタークーリングを行なうプロジェクタが考えられている。
【０００３】
。（例えば、特許文献１）
【特許文献１】特開２００５−１５６７５０号公報
【発明の開示】
【発明が解決しようとする課題】
【０００４】
上述した引用文献１の技術を含み、投影終了後は自動的に所定時間アフタークーリングを実施するが、その際になるべく短時間でアフタークーリングを終了するために、冷却ファンの回転数を高めて急速冷却ができるように構成されている場合が多い。
【０００５】
しかしながら、実際のプロジェクタの使用環境において、プロジェクタでの投影動作終了後にその場の出席者によってディスカッションや追加説明等が行われる場合が考えられる。そのような場合、アフタークーリングのためにプロジェクタを急速冷却すると、冷却ファンによる騒音が増大してディスカッション等を阻害してしまう虞がある。
【０００６】
本発明は上記のような実情に鑑みてなされたもので、その目的とするところは、使用環境に対応し、適切な冷却能力で投影動作後のアフタークーリングを実施することが可能な投影装置、運転制御方法及びプログラムを提供することにある。
【課題を解決するための手段】
【０００７】
請求項１記載の発明は、ランプを用いた光源と、装置外部から入力される画像信号と上記光源からの光により光像を形成して投影する投影手段と、上記光源のランプを冷却する、冷却能力を可変可能な冷却手段と、上記ランプの点灯終了を指示する指示手段と、上記指示手段での指示時に上記冷却手段の冷却能力を選択する選択手段と、上記選択手段で選択した冷却能力で上記冷却手段により上記光源のランプを冷却させる冷却制御手段とを具備したことを特徴とする。
【０００８】
請求項２記載の発明は、上記請求項１記載の発明において、上記指示手段は、ランプの点灯終了を指示する複数の操作部材を備え、上記選択手段は、上記複数の操作部材のいずれが操作されたかにより上記冷却手段の冷却能力を選択することを特徴とする。
【０００９】
請求項３記載の発明は、上記請求項１記載の発明において、上記冷却手段の冷却能力を事前に設定しておく設定手段をさらに具備し、上記選択手段は、上記指示手段での指示時に上記設定手段での設定内容に応じて上記冷却手段の冷却能力を選択することを特徴とする。
【００１０】
請求項４記載の発明は、上記請求項１記載の発明において、装置外部から入力される信号の有無を判断する判断手段をさらに具備し、上記選択手段は、上記指示手段での指示時に上記判断手段での判断結果に応じて上記冷却手段の冷却能力を選択することを特徴とする。
【００１１】
請求項５記載の発明は、上記請求項１記載の発明において、上記装置外部から信号を入力する接続部での接続状態を検出する検出手段をさらに具備し、上記選択手段は、上記指示手段での指示時に上記検出手段での検出結果に応じて上記冷却手段の冷却能力を選択することを特徴とする。
【００１２】
請求項６記載の発明は、ランプを用いた光源と、装置外部から入力される画像信号と上記光源からの光により光像を形成して投影部と、上記光源のランプを冷却する、冷却能力を可変可能な冷却部とを備えた投影装置の運転制御方法であって、装置の上記ランプの点灯終了を指示する指示工程と、上記指示工程での指示時に上記部の冷却能力を選択する選択工程と、上記選択工程で選択した冷却能力で上記冷却部により上記光源のランプを冷却させる冷却制御工程とを有したことを特徴とする。
【００１３】
請求項７記載の発明は、ランプを用いた光源と、装置外部から入力される画像信号と上記光源からの光により光像を形成して投影部と、上記光源のランプを冷却する、冷却能力を可変可能な冷却部とを備えた投影装置に内蔵されたコンピュータが実行するプログラムであって、装置の上記ランプの点灯終了を指示する指示ステップと、上記指示ステップでの指示時に上記部の冷却能力を選択する選択ステップと、上記選択ステップで選択した冷却能力で上記冷却部により上記光源のランプを冷却させる冷却制御ステップとをコンピュータに実行させることを特徴とする。
【発明の効果】
【００１４】
本発明によれば、使用環境に対応し、適切な冷却能力で投影動作後のアフタークーリングを実施することが可能となる。
【発明を実施するための最良の形態】
【００１５】
（第１の実施形態）  
以下本発明をＤＬＰ（Ｄｉｇｉｔａｌ  Ｌｉｇｈｔ  Ｐｒｏｃｅｓｓｉｎｇ）（登録商標）方式のプロジェクタ装置に適用した場合の第１の実施形態について図面を参照して説明する。
【００１６】
図１は、同実施形態に係るプロジェクタ装置１０の電子回路の機能構成を示すブロック図である。  
同図で、１１は入出力コネクタ部であり、例えばピンジャック（ＲＣＡ）タイプのビデオ入力端子、ＲＧＢ入力端子、及びＵＳＢ端子からなる。
【００１７】
入出力コネクタ部１１より入力される各種規格の画像信号は、入出力インタフェース（Ｉ／Ｆ）１２、システムバスＳＢを介して画像変換部１３で所定のフォーマットの画像信号に統一された後に、投影駆動部１４へ送られる。
【００１８】
この際、ＯＳＤ（Ｏｎ  Ｓｃｒｅｅｎ  Ｄｉｓｐｌａｙ）用のモード画像やポインタ等の記号も必要に応じて画像信号上に重畳加工された状態で投影駆動部１４へ送られる。
【００１９】
投影駆動部１４は、送られてきた画像信号をビデオＲＡＭ１５に展開して記憶させた上でこのビデオＲＡＭ１５の記憶内容からビデオ信号を生成する。投影駆動部１４は、このビデオ信号のフレームレート、例えば６０［フレーム／秒］と色成分の分割数、及び表示階調数を乗算した、より高速な時分割駆動により、空間的光変調素子（ＳＯＭ）である例えばマイクロミラー素子１６を表示駆動する。
【００２０】
一方、リフレクタ１７内に配置された、例えば超高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００２１】
しかして、マイクロミラー素子１６での反射光で光像が形成され、形成された光像が光学レンズユニット２２を介して、投影対象となるここでは図示しないスクリーンに投影表示される。
【００２２】
光学レンズユニット２２は、マイクロミラー素子１６で形成された光像を拡大してスクリーン等の対象に投影するものであり、合焦位置及びズーム位置（投影画角）を任意に可変できるものとする。
【００２３】
すなわち、光学レンズユニット２２中の図示しないフォーカスレンズ及びズームレンズは共に光軸方向に沿って前後に移動することで制御されるもので、それらレンズはステッピングモータ（Ｍ）２３の回動駆動により移動する。
【００２４】
また、光源ランプ１８を冷却するための冷却ファン２４がモータ（Ｍ）２５により回転駆動される。さらに、上記カラーホイール１９を回転させるモータ（Ｍ）２６が設けられる。
【００２５】
しかるに、上記光源ランプ１８の点灯駆動、上記カラーホイール１９用のモータ２６の回転駆動、冷却ファン２４用のモータ２５の回転駆動、及び上記ステッピングモータ２３の回動駆動をいずれも投影光処理部２７が実行する。
【００２６】
この投影光処理部２７はまた、リフレクタ１７に取付けられて光源ランプ１８の温度を検出する温度センサ２８からの温度データを入力する。
【００２７】
上記各回路の動作すべてをＣＰＵ２９が制御する。このＣＰＵ２９は、動作プログラムや各種定型データ等を記憶した不揮発性メモリでなるプログラムメモリ３０、ＲＡＭでなるメインメモリ３１を用いてこのプロジェクタ装置１０内の制御動作を実行する。
【００２８】
上記ＣＰＵ２９にはさらに、上記システムバスＳＢを介してキースイッチ部３２、インジケータ部３３、及び音声処理部３４が接続される。
【００２９】
図２は、プロジェクタ装置１０の例えば筐体上面に配設されるキースイッチ部３２の構成を例示するものである。ここでは、キースイッチ部３２が電源キー３２ａ、急速電源オフキー３２ｂ、「Ｍｏｄｅ」キー３２ｃ、キャンセル（Ｃ）キー３２ｄ、フォーカスキー３２ｅ，３２ｆ、ズームキー３２ｇ，３２ｈ、カーソル（「↑」「↓」「←」「→」）キー３２ｉ〜３２ｌ、エンター（Ｅｎｔ．）キー３２ｍ等からなる。
【００３０】
電源キー３２ａは、電源のオン／オフを指示する。急速電源オフキー３２ｂは、後述する急速冷却によるアフタークーリングを伴う電源のオフを指示する。「Ｍｏｄｅ」キー３２ｃは、各種動作モードを指示する。
【００３１】
キャンセルキー３２ｄは、その時点で選択している項目の解除や上位のメニュー階層への移動等を指示する。フォーカスキー３２ｅ，３２ｆは、フォーカス位置の前後各方向への移動を指示する。
【００３２】
ズームキー３２ｇ，３２ｈは、ズーム画角の拡大または縮小を指示する。カーソルキー３２ｉ〜３２ｌは、その時点で選択している項目の移動等を指示する。エンターキー３２ｍは、その時点で選択している項目の決定等を指示する。
【００３３】
これらキースイッチ部３２の各キーを用いてユーザが任意の操作を行なうと、そのキー操作に応じた操作信号がＣＰＵ２９へ入力され、ＣＰＵ２９はキースイッチ部３２からの入力に応じて制御動作を実行する。
【００３４】
インジケータ部３３は、例えば複数個のＬＥＤで構成され、各種動作状態や上記光源ランプ１８の温度異常等を点灯色と点滅パターン等によって表示する。
【００３５】
音声処理部３４は、ＰＣＭ音源等の音源回路を備え、投影動作時に与えられる音声データをアナログ化し、このプロジェクタ装置１０の本体ケーシングの例えば背面に設けられるスピーカ３５を駆動して拡声放音させ、あるいは必要によりビープ音等を発生させる。
【００３６】
次に上記実施形態の動作について説明する。  
図３は、電源がオンしている状態から、キースイッチ部３２の電源キー３２ａまたは急速電源オフキー３２ｂの操作により電源オフが指示された場合の処理内容を示すフローチャートである。なお、この図３の処理は、全てＣＰＵ２９がプログラムメモリ３０に記憶されている動作プログラムに基づき、主として投影光処理部２７を介して実行する動作制御である。
【００３７】
処理当初には、まず光源ランプ１８の点灯駆動を停止させて消灯させた後（ステップＡ０１）、その電源オフの指示が急速電源オフキー３２ｂの操作によりなされたものであるか否かにより、急速冷却を行なう必要があるか否かを判断する（ステップＡ０２）。
【００３８】
ここで急速電源オフキー３２ｂの操作による指示であると判断した場合には、例えばモータ２５の回転駆動速度が「高」「中」「低」の３段階ある場合に、最も高い「高」に設定して急速冷却状態を実現する（ステップＡ０３）。
【００３９】
この急速冷却状態で、光源ランプ１８の温度が予め設定した閾値Ｔth以下となったか否かを温度センサ２８からの検知温度により判断することにより、この急速冷却を終える程度に光源ランプ１８が冷却されたかどうかを繰返し判断することで、急速冷却の状態が終えるのを待機する（ステップＡ０４）。
【００４０】
一方、上記ステップＡ０２で急速電源オフキー３２ｂの操作ではなく、通常の電源キー３２ａの操作による電源オフの指示であると判断した場合には、例えばモータ２５の回転駆動速度が「高」「中」「低」の３段階ある場合に、「中」に設定して通常のアフタークーリングによる冷却状態を実現する（ステップＡ０５）。
【００４１】
この通常の冷却状態で、光源ランプ１８の温度が予め設定した閾値Ｔth以下となったか否かを温度センサ２８からの検知温度により判断することにより、この通常の冷却を終える程度に光源ランプ１８が冷却されたかどうかを繰返し判断することで、通常冷却の状態が終えるのを待機する（ステップＡ０６）。
【００４２】
そして、上記ステップＡ０３またはＡ０５で光源ランプ１８の温度が予め設定した閾値Ｔth以下となったと判断した時点で、急速冷却あるいは通常冷却によるアフタークーリング動作を終えたものとして、モータ２５及び冷却ファン２４による冷却動作を停止させた上で（ステップＡ０７）、インジケータ部３３での表示や音声処理部３４での放音動作を含むプロジェクタ装置１０内の全動作を停止し（ステップＡ０８）、以上でＣＰＵ２９による図３の処理を完了する。
【００４３】
このように上記実施形態によれば、使用環境に対応し、適切な冷却能力で投影動作後のアフタークーリングを実施することが可能となる。
【００４４】
加えて、上記実施形態では、プロジェクタ装置１０のユーザ自身がキースイッチ部３２の急速電源オフキー３２ｂを操作するか、または電源キー３２ａを操作するかに応じて電源オフ時に急速冷却を行なうか否かを選択するものとしたので、ユーザの意志が確実に反映されるため、誤って急速冷却の状態を設定してしまい、プレゼンテーション後の質疑応答やディスカッション等を騒音により阻害してしまうような事態を確実に回避できる。
【００４５】
なお、上記実施形態では、キースイッチ部３２の電源キー３２ａと急速電源オフキー３２ｂの２つのキーのいずれを操作するかで急速冷却を行なうか否かを選択するものとしたが、特にキースイッチ部３２に急速電源オフキー３２ｂのような専用の操作キーを設けずとも、例えば電源キー３２ａを２秒以上長押しした場合には通常の冷却ではなく急速冷却を行なうなど、１つのキーの操作の仕方によっても冷却運転を選択することができる。
【００４６】
また、上記実施形態では、投影動作後にユーザがキースイッチ部３２の急速電源オフキー３２ｂを操作するか電源キー３２ａを操作するかにより急速冷却を行なうか否かを選択するものとしたが、本誌実施の形態はこれに限らず、キースイッチ部３２に急速電源オフキー３２ｂが存在しないものとして、投影動作の開始前に予めモード設定等により、投影動作後に光源ランプ１８の急速冷却を行なうか否かを選択設定しておき、電源キー３２ａの操作による電源オフ時には、事前の設定された内容に基づいて急速冷却を行なうか否かを選択するものとしてもよい。
【００４７】
このように急速冷却を行なうか否かを投影動作の事前に予め設定しておくことで、投影動作後は同一のキー操作によりその状況に適した冷却運転を自動的に選択して投影動作後のアフタークーリングを実施することが可能となる。
【００４８】
（第２の実施形態）  
以下本発明をＤＬＰ（登録商標）方式のプロジェクタ装置に適用した場合の第２の実施形態について図面を参照して説明する。
【００４９】
なお、同実施形態に係るプロジェクタ装置１０の電子回路の機能構成については、上記図１に示したものと基本的に同様であるものとし、同一部分には同一符号を用いることとして、その図示と説明とを省略する。
【００５０】
なお、キースイッチ部３２の具体的な構成例に関しても、急速電源オフキー３２ｂが存在しないことを除いては上記図２で示した内容と同様であるものとする。
【００５１】
次に上記実施形態の動作について説明する。  
図４は、電源がオンしている状態から、キースイッチ部３２の電源キー３２ａの操作により電源オフが指示された場合の処理内容を示すフローチャートである。なお、この図３の処理は、全てＣＰＵ２９がプログラムメモリ３０に記憶されている動作プログラムに基づき、投影光処理部２７を制御対象の中心して実行する動作制御である。
【００５２】
処理当初には、まず光源ランプ１８の点灯駆動を停止させて消灯させた後（ステップＢ０１）、その時点で、入出力コネクタ部１１を介しての画像信号の入力がないかどうかを判断する（ステップＢ０２）。
【００５３】
ここで画像信号の入力がないと判断した場合には、その時点ですでに入出力コネクタ部１１に接続されている筈の外部機器側の電源もオフされており、早急にプロジェクタ装置１０を撤収する可能性があるものとして、例えばモータ２５の回転駆動速度が「高」「中」「低」の３段階ある場合に、最も高い「高」に設定して急速冷却状態を実現する（ステップＢ０３）。
【００５４】
この急速冷却状態で、光源ランプ１８の温度が予め設定した閾値Ｔth以下となったか否かを温度センサ２８からの検知温度により判断することにより、この急速冷却を終える程度に光源ランプ１８が冷却されたかどうかを繰返し判断することで、急速冷却の状態が終えるのを待機する（ステップＢ０４）。
【００５５】
一方、上記ステップＢ０２で入出力コネクタ部１１を介しての画像信号の入力がまだあり、その時点で入出力コネクタ部１１に接続されている外部機器側の電源がオンされている場合には、とりあえず早急にプロジェクタ装置１０を撤収する可能性がないものとして、例えばモータ２５の回転駆動速度が「高」「中」「低」の３段階ある場合に、「中」に設定して通常のアフタークーリングによる冷却状態を実現する（ステップＢ０５）。
【００５６】
この通常の冷却状態で、光源ランプ１８の温度が予め設定した閾値Ｔth以下となったか否かを温度センサ２８からの検知温度により判断することにより、この通常の冷却を終える程度に光源ランプ１８が冷却されたかどうかを繰返し判断することで、通常冷却の状態が終えるのを待機する（ステップＢ０６）。
【００５７】
そして、上記ステップＢ０３またはＢ０５で光源ランプ１８の温度が予め設定した閾値Ｔth以下となったと判断した時点で、急速冷却あるいは通常冷却によるアフタークーリング動作を終えたものとして、モータ２５及び冷却ファン２４による冷却動作を停止させた上で（ステップＢ０７）、インジケータ部３３での表示や音声処理部３４での放音動作を含むプロジェクタ装置１０内の全動作を停止し（ステップＢ０８）、以上でＣＰＵ２９による図４の処理を完了する。
【００５８】
このように上記実施形態によれば、装置外部から与えられる画像信号の有無に基づいて電源オフ時に急速冷却を行なうか否かを選択するものとしたので、すでに画像信号の入力が途絶えた状態でのみそれを自動的に判断して急速冷却に移行するものとなり、まだ画像信号が入力され続けている間は急速冷却を行なわないため、例えばプレゼンテーション後の質疑応答やディスカッション等を急速冷却の騒音により阻害してしまうような事態を確実に回避できる。
【００５９】
（第３の実施形態）  
以下本発明をＤＬＰ（登録商標）方式のプロジェクタ装置に適用した場合の第３の実施形態について図面を参照して説明する。
【００６０】
なお、同実施形態に係るプロジェクタ装置１０の電子回路の機能構成については、上記図１に示したものと基本的に同様であるものとし、同一部分には同一符号を用いることとして、その図示と説明とを省略する。
【００６１】
なお、キースイッチ部３２の具体的な構成例に関しても、急速電源オフキー３２ｂが存在しないことを除いては上記図２で示した内容と同様であるものとする。
【００６２】
次に上記実施形態の動作について説明する。  
図５は、電源がオンしている状態から、キースイッチ部３２の電源キー３２ａまたは急速電源オフキー３２ｂの操作により電源オフが指示された場合の処理内容を示すフローチャートである。なお、この図３の処理は、全てＣＰＵ２９がプログラムメモリ３０に記憶されている動作プログラムに基づき、主として投影光処理部２７を介して実行する動作制御である。
【００６３】
処理当初には、まず光源ランプ１８の点灯駆動を停止させて消灯させた後（ステップＣ０１）、その時点で、入出力コネクタ部１１への外部機器の接続がないかどうかを判断する（ステップＣ０２）。
【００６４】
これは、入出力コネクタ部１１を構成する各入出力端子の端子インピーダンスレベルから各端子が揃って開放状態であるかどうかにより判断するもので、入出力コネクタ部１１への外部機器の接続がないと判断した場合には、例えばモータ２５の回転駆動速度が「高」「中」「低」の３段階ある場合に、最も高い「高」に設定して急速冷却状態を実現する（ステップＣ０３）。
【００６５】
この急速冷却状態で、光源ランプ１８の温度が予め設定した閾値Ｔth以下となったか否かを温度センサ２８からの検知温度により判断することにより、この急速冷却を終える程度に光源ランプ１８が冷却されたかどうかを繰返し判断することで、急速冷却の状態が終えるのを待機する（ステップＣ０４）。
【００６６】
一方、上記ステップＣ０２で入出力コネクタ部１１を構成するいずれかの端子にはまだ外部機器の接続があると判断した場合には、例えばモータ２５の回転駆動速度が「高」「中」「低」の３段階ある場合に、「中」に設定して通常のアフタークーリングによる冷却状態を実現する（ステップＣ０５）。
【００６７】
この通常の冷却状態で、光源ランプ１８の温度が予め設定した閾値Ｔth以下となったか否かを温度センサ２８からの検知温度により判断することにより、この通常の冷却を終える程度に光源ランプ１８が冷却されたかどうかを繰返し判断することで、通常冷却の状態が終えるのを待機する（ステップＣ０６）。
【００６８】
そして、上記ステップＣ０３またはＣ０５で光源ランプ１８の温度が予め設定した閾値Ｔth以下となったと判断した時点で、急速冷却あるいは通常冷却によるアフタークーリング動作を終えたものとして、モータ２５及び冷却ファン２４による冷却動作を停止させた上で（ステップＣ０７）、インジケータ部３３での表示や音声処理部３４での放音動作を含むプロジェクタ装置１０内の全動作を停止し（ステップＣ０８）、以上でＣＰＵ２９による図５の処理を完了する。
【００６９】
このように上記実施形態によれば、入出力コネクタ部１１への外部機器の接続の有無に基づいて電源オフ時に急速冷却を行なうか否かを選択するものとしたので、すでに接続が解かれた状態でのみそれを自動的に判断して急速冷却に移行するものとなり、まだ接続がなされている間は急速冷却を行なわないため、例えばプレゼンテーション後の質疑応答やディスカッション等を急速冷却の騒音により阻害してしまうような事態を確実に回避できる。
【００７０】
なお、上記実施形態では、入出力コネクタ部１１を構成する各入出力端子の端子インピーダンスレベルから各端子が揃って開放状態であるかどうかにより入出力コネクタ部１１での接続状態を判断するものとして説明したが、そのような電気的な接続検出手段を採らずとも、公知の他の電気的な接続検出手段、あるいは機械的な接続検出手段を用いるものとしてもよく、本発明はそれらの接続検出手段事態の内容を制限するものではない。
【００７１】
また、上記第１乃至第３の実施形態においてはいずれも、急速冷却及び通常冷却の終了を光源ランプ１８での温度が閾値Ｔth以下となったか否かにより判断する場合について説明したが、冷却の終了を判断するために、光源ランプ１８の温度を温度センサ２８を用いて検出するのではなく、急速冷却と通常冷却とでそれぞれ個別に設定した時間が経過するのをＣＰＵ２９内部に形成するタイマにてカウントするような構成とすることも考えられる。
【００７２】
さらに、上記第１乃至第３の実施形態はいずれも、プロジェクタ装置１０としてＤＬＰ（登録商標）方式のプロジェクタ装置に適用した場合について説明したが、本発明は投影装置としてのプロジェクタ方式等を限定するものではなく、例えば透過型のカラー液晶パネルを表示素子として投影動作を実行する液晶方式のプロジェクタ装置、あるいはモノクロのオー・ヘッド・プロジェクタ（ＯＨＰ）やスライド映写機等、光源となるランプを投影動作後に冷却するアフタークーリング動作の必要がある投影装置であれば同様に適用することが可能である。
【００７３】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００７４】
【図１】本発明の第１の実施形態に係るプロジェクタ装置の回路構成を示すブロック図。
【図２】同実施形態に係るプロジェクタ装置のキースイッチ部の構成を例示する図。
【図３】同実施形態に係る電源オフ時の処理内容を示すフローチャート。
【図４】本発明の第２の実施形態に係るプロジェクタ装置の電源オフ時の処理内容を示すフローチャート。
【図５】本発明の第３の実施形態に係るプロジェクタ装置の電源オフ時の処理内容を示すフローチャート。
【符号の説明】
【００７５】
１０…プロジェクタ装置、１１…入出力コネクタ部、１２…入出力インタフェース（Ｉ／Ｆ）、１３…画像変換部、１４…投影駆動部、１５…ビデオＲＡＭ、１６…マイクロミラー素子、１７…リフレクタ、１８…光源ランプ、１９…カラーホイール、２０…インテグレータ、２１…ミラー、２２…光学レンズユニット、２３…ステッピングモータ（Ｍ）、２４…冷却ファン、２５…モータ（Ｍ）、２６…モータ（Ｍ）、２７…投影光処理部、２８…温度センサ、２９…ＣＰＵ、３０…プログラムメモリ、３１…メインメモリ、３２…キースイッチ部、３３…インジケータ部、３４…音声処理部、３５…スピーカ、ＳＢ…システムバス。
【図１】
2009003097.tif 000003
【図２】
2009003097.tif 000004
【図３】
2009003097.tif 000005
【図４】
2009003097.tif 000006
【図５】
2009003097.tif 000007